(57)【要約】【課題】  タッチパネルのインテリジェントタイプ移動の制御方法の提供。【解決手段】  物品のタッチパネル上の位置を検出し、該物品が移動する時、該物品の位置情報を送出し、該物品が移動後に該タッチパネル上で停止し、停止時間が参考時間を超過すると、移動信号を送出する。【選択図】        図４
2007048206.tif 000002
【特許請求の範囲】
【請求項１】
物品のタッチパネル上の位置を検出し、その位置の座標を生成するステップと、
該物品の移動を検出し、該物品の位置情報を送出するステップと、
該物品の移動停止を検出し且つ停止時間が参考時間を超過すると、移動信号を送出するステップと、
を包含したことを特徴とする、タッチパネルのインテリジェントタイプ移動の制御方法。
【請求項２】
請求項１記載のタッチパネルのインテリジェントタイプ移動の制御方法において、移動信号が方向情報を包含し、該方向情報が物品の移動停止前の方向により決定されることを特徴とする、タッチパネルのインテリジェントタイプ移動の制御方法。
【請求項３】
請求項１記載のタッチパネルのインテリジェントタイプ移動の制御方法において、座標が絶対座標或いは相対座標を包含することを特徴とする、タッチパネルのインテリジェントタイプ移動の制御方法。
【請求項４】
請求項１記載のタッチパネルのインテリジェントタイプ移動の制御方法において、位置情報が絶対移動量或いは相対移動量を包含することを特徴とする、タッチパネルのインテリジェントタイプ移動の制御方法。
【発明の詳細な説明】
【技術分野】
【０００１】
本発明はタッチパネルのインテリジェントタイプ移動の制御方法に関する。
【背景技術】
【０００２】
現在、タッチパネルは広くポータブルコンピュータ、携帯情報端末、携帯電話或いはその他の電子システムを包含する電子製品に応用されている。タッチパネルは使用者の手指或いは導電性物品（例えばタッチペン）をパネル上で滑らせるか或いは接触させるのに供される輸入装置であり、カーソルに相対移動或いは絶対座標移動を発生させ、及び、その他の延伸性機能、例えばキー機能シミュレートをサポートする。操作エリアで更に多様な機能をサポートするため、セクション分割の概念があり、並びに使用者が使用したい機能を区別するための検出方法が必要である。
【０００３】
モニタとディスプレイカード技術の進歩により、コンピュータシステムはいずれも高解析度例えば１０２４×７６８ピクセルのスクリーンメニューをサポートできるようになった。しかしタッチパネルのサイズには実際の制限があり、自身はこのような高い解析度を提供していない。このため、既にインテリジェントタイプの自動エッジスクロール機能が提供され、それによると、使用者がタッチパネルの境界エリアに至ると、カーソルが自動移動させられる。図１に示されるものでは、タッチパネル１０は二つのエリア１２、１４に分割され且つエリア１４は８個のブロックに分けられて、それぞれカーソルの上下左右、左上、左下、右上及び右下の８個の移動方向に対応し、使用者の手指を異なるブロックに移動させるとカーソルが異なる方向に自動移動する。使用者の手指１６がエリア１２内で移動する時、タッチパネル１０は手指１６の位置情報を送出し、モニタ上のカーソル１８がそれに伴い移動する。手指１６が移動してエリア１４内に至ると、タッチパネル１０がスクロール信号を送出し、カーソル１８を手指１６の所在のブロックにより対応する方向に自動移動させる。インテリジェントタイプエッジ自動スクロール機能の詳細な内容については、特許文献１を参照されたい。
【０００４】
このようなインテリジェントタイプエッジ自動スクロール機能は、毎回使用者の手指が境界エリア１４に至ると、カーソル移動信号を送出するため、使用者が一般のカーソル移動を行いたいのか、或いはインテリジェントタイプエッジ自動スクロールを行いたいのかを判別できず、信号の誤送を形成する。例えば、使用者がカーソル１８を図２に示されるような軌跡で移動させたいと思っても、その手指１６が移動中に不注意からエリア１４に進入すると、タッチパネル１０はそれによりスクロール信号を送出し、このためカーソル１８の移動軌跡が図３のように改変されてしまう。且つエリア１４は８個のブロックに区分されているため、カーソルはただ８個の方向にしか移動できず、使用者の、移動方向の制限を受けないようにする要求を満足させられない。
【０００５】
このほか電子製品体積の縮小に伴い、タッチパネルの面積も縮小されるが、タッチパネルが複数のエリアに区分されると、使用者の操作上の不便がもたらされる。
【０００６】
このほか、タッチパネル上に特定エリアを規定しなくともインテリジェントタイプ移動を起動でき且つ移動方向の制限を受けない制御方法が望まれている。
【０００７】
【特許文献１】米国特許第５、５４３、５９０号明細書
【発明の開示】
【発明が解決しようとする課題】
【０００８】
本発明の目的は、一種のタッチパネルのインテリジェントタイプ移動の制御方法を提供することにより、タッチパネルを、特定のエリアを規定しなくともインテリジェントタイプ移動を起動でき且つ移動方向の制限を受けないものとすることにある。
【０００９】
本発明によると、タッチパネルのインテリジェントタイプ移動の制御方法は、物品のタッチパネル上の位置を検出し、該物品が移動する時、該物品の位置情報を送出し、該物品が移動後に該タッチパネル上で停止し、停止時間が参考時間を超過すると、移動信号を送出するステップを包含する。
【課題を解決するための手段】
【００１０】
請求項１の発明は、物品のタッチパネル上の位置を検出し、その位置の座標を生成するステップと、
該物品の移動を検出し、該物品の位置情報を送出するステップと、
該物品の移動停止を検出し且つ停止時間が参考時間を超過すると、移動信号を送出するステップと、
を包含したことを特徴とする、タッチパネルのインテリジェントタイプ移動の制御方法としている。
請求項２の発明は、請求項１記載のタッチパネルのインテリジェントタイプ移動の制御方法において、移動信号が方向情報を包含し、該方向情報が物品の移動停止前の方向により決定されることを特徴とする、タッチパネルのインテリジェントタイプ移動の制御方法としている。
請求項３の発明は、請求項１記載のタッチパネルのインテリジェントタイプ移動の制御方法において、座標が絶対座標或いは相対座標を包含することを特徴とする、タッチパネルのインテリジェントタイプ移動の制御方法としている。
請求項４の発明は、請求項１記載のタッチパネルのインテリジェントタイプ移動の制御方法において、位置情報が絶対移動量或いは相対移動量を包含することを特徴とする、タッチパネルのインテリジェントタイプ移動の制御方法としている。
【発明の効果】
【００１１】
本発明により、タッチパネルが特定のエリアを規定しなくともインテリジェントタイプ移動を起動できるものとなり、タッチパネルの操作エリアを大きくでき、且つ移動停止前の方向をインテリジェントタイプ移動の方向となすことで、移動方向の制限をなくし、操作上の便利性を増すことができる。
【発明を実施するための最良の形態】
【００１２】
図４は本発明の実施例の操作フローチャートである。図４及び図５を参照されたい。まず、ステップ２０で手指３２のタッチパネル３０上への接触の位置座標を検出する。続いてステップ２２で、手指３２のタッチパネル３０上での移動を検出し、タッチパネル３０が手指の位置情報を送出し、カーソル３４をそれに伴い移動させる。ステップ２４において、手指３２の移動停止を検出し且つ手指３２がタッチパネル３０上で参考時間を超過して停留すると、タッチパネル３０は移動信号を送出してカーソル３４を移動停止前の方向に向けて自動移動させる。典型的には、タッチパネル３０は第１方向のセンシングラインと第２方向のセンシングラインを包含し、座標は絶対座標とされ得るほか、相対座標とされ得て、位置情報は絶対移動量とされ得るか、或いは相対移動量とされ得る。そのうち、絶対座標は固定位置（例えばタッチパネル３０の中心点或いは一つの角）を固定原点として発生する座標値であり、相対座標は、相対位置（例えば手指３２が最初にタッチパネル３０に接触した位置）を参考原点として発生する座標値であり、絶対移動量は固定原点に対する移動量であり、相対移動量は参考原点に対する移動量である。
【図面の簡単な説明】
【００１３】
【図１】手指の周知のタッチパネル上での操作の表示図である。
【図２】手指の周知のタッチパネル上での操作の表示図である。
【図３】手指の周知のタッチパネル上での操作の表示図である。
【図４】本発明の実施例の操作フローチャートである。
【図５】手指の本発明を運用したタッチパネル上での操作の表示図である。
【符号の説明】
【００１４】
１０  タッチパネル
１２  エリア
１４  エリア
１６  手指
１８  カーソル
２０  手指のタッチパネル上への接触の位置座標検出
２２  手指の移動検出
２４  手指の移動停止を検出し且つタッチパネル上での参考時間を超過しての停留を検出３０  タッチパネル
３２  手指
３４  カーソル
【図１】
2007048206.tif 000003
【図２】
2007048206.tif 000004
【図３】
2007048206.tif 000005
【図４】
2007048206.tif 000006
【図５】
2007048206.tif 000007